(57)【要約】      （修正有）【課題】通信時間を短縮したデータ収集システム，有線・無線変換器及びデータ収集方法を提供する。【解決手段】マスタ装置としてのデータ収集装置１１と、スレーブ装置としての計測装置２１と、データ収集装置１１に有線にて接続されたマスタ側有線・無線変換器４１と、計測装置２１に有線にて接続されたスレーブ側有線・無線変換器４０Ａと、を備え、データ収集装置１１から有線・無線変換器４１に送られた計測装置２１に対するデータ獲得コマンドに従って、有線・無線変換器４１が、有線・無線変換器４０Ａを介して計測装置２１の計測データを有線・無線変換器４１の記憶装置に記憶する第１の処理と、データ収集装置１１が前記記憶装置に記憶されている計測装置２１の計測データを収集する第２の処理と、を並行して実行可能とする。【選択図】図１
2015007875.tif 000002
【特許請求の範囲】
【請求項１】
マスタ装置としてのデータ収集装置と、スレーブ装置としての複数台の計測装置と、前記データ収集装置に有線にて接続されたマスタ側有線・無線変換器と、前記計測装置に有線にて接続されたスレーブ側有線・無線変換器と、を備え、前記マスタ側有線・無線変換器と前記スレーブ側有線・無線変換器との間で無線通信を行って前記計測装置の計測データを前記データ収集装置が収集するデータ収集システムにおいて、
前記データ収集装置から前記マスタ側有線・無線変換器に送られた各計測装置に対するデータ獲得コマンドに従って、前記マスタ側有線・無線変換器が、前記スレーブ側有線・無線変換器を介して各計測装置の計測データを前記マスタ側有線・無線変換器の記憶装置に記憶する第１の処理と、前記データ収集装置が前記記憶装置に記憶されている各計測装置の計測データを収集する第２の処理と、を並行して実行可能であることを特徴とするデータ収集システム。
【請求項２】
請求項１に記載したデータ収集システムにおいて、
前記スレーブ側有線・無線変換器は、各計測装置の計測データを一時的に記憶する記憶装置を備えたことを特徴とするデータ収集システム。
【請求項３】
マスタ装置としてのデータ収集装置に有線にて接続された有線・無線変換器であって、スレーブ装置としての複数台の計測装置に有線にて接続された有線・無線変換器との間で無線通信を行って前記計測装置の計測データを前記データ収集装置に収集させるための有線・無線変換器において、
前記データ収集装置から送られた各計測装置に対するデータ獲得コマンドに従って、前記計測装置側の有線・無線変換器を介して各計測装置の計測データを受信し、この計測データを記憶装置に記憶する第１の処理と、
前記記憶装置に記憶されている各計測装置の計測データを前記データ収集装置に送信する第２の処理と、を並行して実行可能であることを特徴とする有線・無線変換器。
【請求項４】
マスタ装置としてのデータ収集装置に有線にて接続されたマスタ側有線・無線変換器と、スレーブ装置としての複数台の計測装置に有線にて接続されたスレーブ側有線・無線変換器との間で、無線通信を行って前記計測装置の計測データを前記データ収集装置が収集するデータ収集方法において、
前記データ収集装置から前記マスタ側有線・無線変換器に送られた各計測装置に対するデータ獲得コマンドに従って、前記マスタ側有線・無線変換器が、前記スレーブ側有線・無線変換器を介して各計測装置の計測データを前記マスタ側有線・無線変換器の記憶装置に記憶する第１の処理と、前記データ収集装置が前記記憶装置に記憶されている各計測装置の計測データを収集する第２の処理とを、並行して実行可能であることを特徴とするデータ収集方法。
【請求項５】
マスタ装置としてのデータ収集装置と、スレーブ装置としての複数台の第１計測装置と、前記第１計測装置により消費電力量が計測される全ての負荷を含む設備の受電点の電力量を計測する受電点計測装置と、前記データ収集装置に有線にて接続されたマスタ側有線・無線変換器と、前記第１計測装置及び前記受電点計測装置に有線にて接続されたスレーブ側有線・無線変換器と、を備え、前記マスタ側有線・無線変換器と前記スレーブ側有線・無線変換器との間で無線通信を行って前記第１計測装置及び前記受電点計測装置の計測データを前記データ収集装置が収集するデータ収集システムにおいて、
前記データ収集装置から前記マスタ側有線・無線変換器に送られた前記第１計測装置及び前記受電点計測装置に対するデータ獲得コマンドに従って、前記マスタ側有線・無線変換器が、前記スレーブ側有線・無線変換器を介して前記第１計測装置及び前記受電点計測装置の計測データを前記マスタ側有線・無線変換器の記憶装置に記憶する第１の処理と、前記データ収集装置が前記記憶装置に記憶されている前記第１計測装置及び前記受電点計測装置の計測データを収集する第２の処理と、を並行して実行可能であることを特徴とするデータ収集システム。
【請求項６】
請求項５に記載したデータ収集システムにおいて、
前記マスタ側有線・無線変換器は、
前記データ収集装置から前記受電点計測装置に対するデータ獲得コマンドが送られる直前に、前記受電点計測装置の計測データを前記スレーブ側有線・無線変換器を介して収集し、前記記憶装置に記憶しておくことを特徴とするデータ収集システム。
【請求項７】
マスタ装置としてのデータ収集装置に有線にて接続されたマスタ側有線・無線変換器と、
スレーブ装置としての複数台の第１計測装置、及び、前記第１計測装置により消費電力量が計測される全ての負荷を含む設備の受電点の電力量を計測する受電点計測装置に有線にて接続されたスレーブ側有線・無線変換器と、の間で無線通信を行って前記第１計測装置及び前記受電点計測装置の計測データを前記データ収集装置が収集するデータ収集方法において、
前記データ収集装置から前記マスタ側有線・無線変換器に送られた前記第１計測装置及び前記受電点計測装置に対するデータ獲得コマンドに従って、前記マスタ側有線・無線変換器が、前記スレーブ側有線・無線変換器を介して前記第１計測装置及び前記受電点計測装置の計測データを前記マスタ側有線・無線変換器の記憶装置に記憶する第１の処理と、前記データ収集装置が前記記憶装置に記憶されている前記第１計測装置及び前記受電点計測装置の計測データを収集する第２の処理とを、並行して実行可能であることを特徴とするデータ収集方法。
【発明の詳細な説明】
【技術分野】
【０００１】
本発明は、複数の計測点の計測データを有線・無線変換器を介して１カ所で収集するためのデータ収集システム，有線・無線変換器及びデータ収集方法に関し、例えば電力量や電圧、電流等の計測データを１カ所で収集し、監視するための技術に関するものである。
【背景技術】
【０００２】
図８は、複数の計測点において電力量等の電気エネルギーを計測し、その計測データを１カ所で収集して集中的に監視するエネルギー監視システムの概略的な構成図である。
図８において、１０は例えば工場内の中央監視室、１１は中央監視室１０に設けられたマスタ装置としてのデータ収集装置、２０Ａ，２０Ｂは中央監視室１０から離れた別の建屋にそれぞれ設けられた電気室である。また、２１〜２５は各電気室２０Ａ，２０Ｂにそれぞれ設置されたスレーブ装置としての電力量計等の電気エネルギー計測装置であり、各計測装置には局番０１〜０５が付与されている。
【０００３】
更に、データ収集装置１１と計測装置２１とは通信ケーブル３０によって接続されていると共に、各計測装置２１〜２５間も通信ケーブル３０Ａ，３０Ｂによって接続されており、各計測装置２１〜２５による計測データを局番０１の計測装置２１経由でデータ収集装置１１に有線にて送信するように構成されている。
【０００４】
ここで、図９は、データ収集装置１１によるデータ収集時のタイミングチャートを示している。例えば、ＥＩＡ−４８５規格の通信ケーブルを使用し、調歩同期式シリアル通信のビットレートが４８００［ｂｐｓ］、ビット長が８ビット、奇数パリティ、１ストップビットの通信パラメータを使用した場合、１バイトのデータ通信に要する時間は約２．２９［ｍｓ］である。
【０００５】
また、マスタ・スレーブ方式のポーリング・セレクティング通信プロトコルを使用し、データ収集装置１１が例えば、２００バイトの計測データを１台の計測装置から読み出す場合、図９に示すごとく、データ収集装置１１から８バイトのデータ獲得コマンドが計測装置に送られ、計測装置から２０６バイトの応答データが帰ってくる。この場合、データ獲得コマンドと応答データとの間隔が４バイト時間であるとすると、１台の計測装置からデータを収集するためには約５０９［ｍｓ］が必要である。
従って、仮に３０台の計測装置からデータを収集するためには、全体で約１５．２７［ｓ］を見込んでおけばよく、例えば３０［ｓ］周期で３０台の計測装置から計測データを定期的に収集するような運用が行われている。
【０００６】
上述した有線通信によるデータ収集システムは、ノイズの影響を受けにくく比較的安定した通信が可能である反面、建屋間の距離が長くなるほど通信ケーブルの敷設コストが嵩むという問題がある。
このため、最近では、中央監視室１０と各建屋（電気室２０Ａ，２０Ｂ）との間で無線通信を行うことにより、通信ケーブルの敷設コストを低減するシステムが提案されている。
【０００７】
図１０は、中央監視室１０と電気室２０Ａ，２０Ｂとの間で無線通信を行うようにしたデータ収集システムを示している。このシステムでは、中央監視室１０内のデータ収集装置１１に通信ケーブル３１を介してマスタ側有線・無線変換器４１が接続され、このマスタ側有線・無線変換器４１と電気室２０Ａ，２０Ｂ内のスレーブ側有線・無線変換器４０Ａ，４０Ｂとの間で無線通信が行われる。
なお、電気室２０Ａ，２０Ｂ内の有線・無線変換器４０Ａ，４０Ｂと計測装置２１〜２５との間の通信は、通信ケーブル３０Ａ，３０Ｂを介した有線通信によって行われている。
【０００８】
しかし、図１０に示した無線通信システムには、次のような問題がある。
すなわち、データ収集装置１１から電気室２０Ａ内の計測装置２１の計測データを収集する場合、図１１に示すように、まずデータ収集装置１１から中央監視室１０内の有線・無線変換器４１に有線通信Ｔ１にてデータ獲得コマンド（８バイト）を送り、次に有線・無線変換器４１はデータ獲得コマンドを無線通信用に変換して無線通信Ｔ２にて電気室２０Ａの有線・無線変換器４０Ａに送り、更に有線・無線変換器４０Ａはデータ獲得コマンドを有線通信用に変換して有線通信Ｔ３にて計測装置２１に送る。そして、計測装置２１が応答データ（２０６バイト）を有線通信Ｔ３にて有線・無線変換器４０Ａに送り、有線・無線変換器４０Ａはこの応答データを無線通信用に変換して無線通信Ｔ２にて中央監視室１０内の有線・無線変換器４１に送り、有線・無線変換器４１はこの応答データを有線通信用に変換して有線通信Ｔ１にてデータ収集装置１１に送る。
【０００９】
データ収集装置１１は、以上のような手順を経て１台の計測装置２１から計測データを収集しているため、無線通信と有線通信とに同じ通信時間がかかるとすれば、１台の計測装置から計測データを収集するのに要する時間は、図８，図９に示した有線通信の場合に比べて３倍の約１５２７［ｍｓ］に延びてしまう。
前述したように、有線通信システムでは、例えば３０［ｓ］周期で３０台の計測装置から計測データを定期的に収集することが可能であるが、図１０に示した無線通信システムでは、そのような運用は時間的に困難である。
更に、無線通信では、通信路を自動車等の導体が通過すると伝播特性が変化するので、一時的に通信不能の状態になる。この場合、何度か通信リトライ動作を行って通信を完了するとすれば、結果的に通信時間が長くなるという問題がある。
【００１０】
ここで、無線通信時間の短縮を目的とした従来技術が、例えば特許文献１，２に記載されている。
特許文献１に記載された従来技術は、各子局が、他の子局が親局に応答していることを傍受する機能を備えており、親局から複数の子局に同報通知があった場合に、各子局は、他の子局が親局への応答を完了したら直ちに親局へ応答することにより、各子局の応答の間に発生する無駄時間をなくして全ての子局から応答信号を受信するまでの時間を短縮している。
特許文献２に記載された従来技術は、データ収集装置が複数の端末無線ユニットからデータを収集するにあたり、通常の基本通信ルート以外に、経由する端末無線ユニットの数が少ない速達通信ルートを設定しておき、速達通信が必要と判断された時は、速達通信ルートに切り替えてデータを収集するものである。
【先行技術文献】
【特許文献】
【００１１】
【特許文献１】特開平１０−５１３６９公報（段落[００２０]〜[００３７]、図３等）
【特許文献２】特開２００２−１０９６７５号公報（段落[００５７]〜[００６１]、図７等）
【発明の概要】
【発明が解決しようとする課題】
【００１２】
特許文献１に記載された従来技術では、各子局が、他の子局による応答信号を傍受する機能を備える必要があり、特許文献２に記載された従来技術では、基本通信ルートと速達通信ルートとの切り替えが必要である。
このため、各従来技術では、子局のハードウェアが複雑化したり、通信ルートの切り替えを行うための通信プログラムが複雑になる等の問題があった。
【００１３】
そこで、本発明の解決課題は、ハードウェアや通信プログラムの複雑化を招くことなく、通信時間の短縮を可能にしたデータ収集システム，有線・無線変換器及びデータ収集方法を提供することにある。
【課題を解決するための手段】
【００１４】
上記課題を解決するため、請求項１に係るデータ収集システムは、マスタ装置としてのデータ収集装置と、スレーブ装置としての複数台の計測装置と、前記データ収集装置に有線にて接続されたマスタ側有線・無線変換器と、前記計測装置に有線にて接続されたスレーブ側有線・無線変換器と、を備え、前記マスタ側有線・無線変換器と前記スレーブ側有線・無線変換器との間で無線通信を行って前記計測装置の計測データを前記データ収集装置が収集するデータ収集システムにおいて、
前記データ収集装置から前記マスタ側有線・無線変換器に送られた各計測装置に対するデータ獲得コマンドに従って、前記マスタ側有線・無線変換器が、前記スレーブ側有線・無線変換器を介して各計測装置の計測データを前記マスタ側有線・無線変換器の記憶装置に記憶する第１の処理と、前記データ収集装置が前記記憶装置に記憶されている各計測装置の計測データを収集する第２の処理と、を並行して実行可能であることを特徴とする。
【００１５】
請求項２に係るデータ収集システムは、請求項１に記載したデータ収集システムにおいて、前記スレーブ側有線・無線変換器は、各計測装置の計測データを一時的に記憶する記憶装置を備えたことを特徴とする。
【００１６】
請求項３に係る有線・無線変換器は、マスタ装置としてのデータ収集装置に有線にて接続された有線・無線変換器であって、スレーブ装置としての複数台の計測装置に有線にて接続された有線・無線変換器との間で無線通信を行って前記計測装置の計測データを前記データ収集装置に収集させるための有線・無線変換器において、
前記データ収集装置から送られた各計測装置に対するデータ獲得コマンドに従って、前記計測装置側の有線・無線変換器を介して各計測装置の計測データを受信し、この計測データを記憶装置に記憶する第１の処理と、
前記記憶装置に記憶されている各計測装置の計測データを前記データ収集装置に送信する第２の処理と、を並行して実行可能であることを特徴とする。
【００１７】
請求項４に係るデータ収集方法は、マスタ装置としてのデータ収集装置に有線にて接続されたマスタ側有線・無線変換器と、スレーブ装置としての複数台の計測装置に有線にて接続されたスレーブ側有線・無線変換器との間で、無線通信を行って前記計測装置の計測データを前記データ収集装置が収集するデータ収集方法において、
前記データ収集装置から前記マスタ側有線・無線変換器に送られた各計測装置に対するデータ獲得コマンドに従って、前記マスタ側有線・無線変換器が、前記スレーブ側有線・無線変換器を介して各計測装置の計測データを前記マスタ側有線・無線変換器の記憶装置に記憶する第１の処理と、前記データ収集装置が前記記憶装置に記憶されている各計測装置の計測データを収集する第２の処理とを、並行して実行可能であることを特徴とする。
【００１８】
請求項５に係るデータ収集システムは、マスタ装置としてのデータ収集装置と、スレーブ装置としての複数台の第１計測装置と、前記第１計測装置により消費電力量が計測される全ての負荷を含む設備の受電点の電力量を計測する受電点計測装置と、前記データ収集装置に有線にて接続されたマスタ側有線・無線変換器と、前記第１計測装置及び前記受電点計測装置に有線にて接続されたスレーブ側有線・無線変換器と、を備え、前記マスタ側有線・無線変換器と前記スレーブ側有線・無線変換器との間で無線通信を行って前記第１計測装置及び前記受電点計測装置の計測データを前記データ収集装置が収集するデータ収集システムにおいて、
前記データ収集装置から前記マスタ側有線・無線変換器に送られた前記第１計測装置及び前記受電点計測装置に対するデータ獲得コマンドに従って、前記マスタ側有線・無線変換器が、前記スレーブ側有線・無線変換器を介して前記第１計測装置及び前記受電点計測装置の計測データを前記マスタ側有線・無線変換器の記憶装置に記憶する第１の処理と、  前記データ収集装置が前記記憶装置に記憶されている前記第１計測装置及び前記受電点計測装置の計測データを収集する第２の処理と、を並行して実行可能であることを特徴とする。
【００１９】
請求項６に係るデータ収集システムは、請求項５に記載したデータ収集システムにおいて、前記マスタ側有線・無線変換器は、前記データ収集装置から前記受電点計測装置に対するデータ獲得コマンドが送られるタイミングの直前に、前記受電点計測装置の計測データを前記スレーブ側有線・無線変換器を介して収集し、前記記憶装置に記憶しておくことを特徴とする。
【００２０】
請求項７に係るデータ収集方法は、マスタ装置としてのデータ収集装置に有線にて接続されたマスタ側有線・無線変換器と、
スレーブ装置としての複数台の第１計測装置、及び、前記第１計測装置により消費電力量が計測される全ての負荷を含む設備の受電点の電力量を計測する受電点計測装置に有線にて接続されたスレーブ側有線・無線変換器と、の間で無線通信を行って前記第１計測装置及び前記受電点計測装置の計測データを前記データ収集装置が収集するデータ収集方法において、
前記データ収集装置から前記マスタ側有線・無線変換器に送られた前記第１計測装置及び前記受電点計測装置に対するデータ獲得コマンドに従って、前記マスタ側有線・無線変換器が、前記スレーブ側有線・無線変換器を介して前記第１計測装置及び前記受電点計測装置の計測データを前記マスタ側有線・無線変換器の記憶装置に記憶する第１の処理と、前記データ収集装置が前記記憶装置に記憶されている前記第１計測装置及び前記受電点計測装置の計測データを収集する第２の処理とを、並行して実行可能であることを特徴とする。
【発明の効果】
【００２１】
本発明によれば、ある計測装置の計測データを有線・無線変換器を介して収集する処理と並行して、データ収集装置が、別の計測装置について既に獲得して有線・無線変換器に記憶されている計測データを収集することが可能である。従って、各計測装置に対してデータ獲得コマンドの起動から計測データの収集までの処理を順次行っていく場合に比べて、複数台の計測装置からのデータ収集に要する全体的な時間を短縮することができる。
また、有線・無線変換器やデータ計測装置には汎用の製品を使用することができ、先行技術文献に記載されているような他局の通信の傍受機能や通信ルートの切替処理も不要であるから、ハードウェアやソフトウェアの負担も少なく、低コストにてシステムの構築及びデータ収集を行うことができる。
更に、受電点の電力量を定周期にて収集する機能を付加することにより、いわゆるデマンド監視に最適なデータ収集システムを提供することができる。
【図面の簡単な説明】
【００２２】
【図１】本発明の第１実施形態において、データ収集装置がデータ獲得コマンドを送信した場合の動作説明図である。
【図２】本発明の各実施形態における有線・無線変換器の概略的な構成図である。
【図３】本発明の第１実施形態において、データ収集装置がデータ獲得コマンドを送信した場合の動作説明図である。
【図４】本発明の第１実施形態において、データ収集装置がデータ獲得コマンドを送信した場合の動作説明図である。
【図５】本発明の第２実施形態におけるデータ収集システムの構成図である。
【図６】本発明の第２実施形態において、受電点の最大電力量を予測する動作の説明図である。
【図７】本発明の第２実施形態において、データ収集装置が受電点に対してデータ獲得コマンドを送信した場合の動作説明図である。
【図８】有線通信によるデータ収集システムの構成図である。
【図９】有線通信によるデータ収集のタイミングチャートである。
【図１０】無線通信によるデータ収集システムの構成図である。
【図１１】無線通信によるデータ収集のタイミングチャートである。
【発明を実施するための形態】
【００２３】
以下、図に沿って本発明の実施形態を説明する。なお、第１実施形態に係るデータ収集システムの全体構成は、例えば図１０に示したものと同様であり、マスタ装置としてのデータ収集装置１１及びマスタ側有線・無線変換器４１を有する中央監視室１０と、スレーブ側有線・無線変換器４０Ａ及びスレーブ装置としての電気エネルギー計測装置２１〜２３を有する電気室２０Ａと、スレーブ側有線・無線変換器４０Ｂ及びスレーブ装置としての電気エネルギー計測装置２４，２５を有する電気室２０Ｂとからなり、中央監視室１０と電気室２０Ａ，２０Ｂとの間で無線通信が可能になっている。なお、電気室の数や電気エネルギー計測装置の数は上記の例に限定されないこと言うまでもなく、また、中央監視室や電気室等の名称も特に限定されない。
【００２４】
以下では、図１０のデータ収集装置１１が電気室２０Ａの計測装置２１，２２等による電力量データ等の計測データを収集する場合の動作について説明する。ここで、データ収集装置１１は、各電気室２０Ａ，２０Ｂ内の計測装置の局番（台数）を予め認識しているものとする。
まず、図１は、データ収集装置１１が電気室２０Ａ内の局番０１の計測装置２１に対してデータ獲得コマンドを送信した場合の動作を示している。
【００２５】
この場合、データ獲得コマンドはデータ収集装置１１から有線・無線変換器４１に送られ（処理１０１）、無線通信用に変換して電気室２０Ａの有線・無線変換器４０Ａに送信される（処理２０１）。有線・無線変換器４０Ａでは、受信した信号を有線通信用に変換して局番０１の計測装置２１に送る（処理３０１）。計測装置２１では、電力量等の電気量を計測し、その計測データを自己の局番０１と共に有線・無線変換器４０Ａに送る（処理３０２）。有線・無線変換器４０Ａは、送られた計測データを無線通信用に変換して有線・無線変換器４１に送信する（処理２０２）。有線・無線変換器４１は、受信データを有線通信用に変換してデータ収集装置１１に送る（処理１０２）。
【００２６】
ここで、有線・無線変換器４１，４０Ａ（電気室２０Ｂの有線・無線変換器４０Ｂも同様）は内部メモリ（ＲＡＭ）を備えており、受信したデータ獲得コマンド及び計測データを一定期間保持可能である。また、計測装置２１（他の計測装置２２〜２５も同様）も内部メモリ（ＲＡＭ）を備えており、データ獲得コマンドに応じて獲得した計測データを一定期間保持可能となっている。
なお、図１では、有線・無線変換器４１，４０Ａにおける信号やデータの有線・無線変換処理または無線・有線変換処理に要する時間遅れを省略して示している。
【００２７】
上記のように、局番０１の計測装置２１に対する初回の計測データ要求時には、処理１０１，２０１，３０１，３０２，２０２，１０２を順次実行することにより、従来の図１１と同様のデータ収集動作が実行される。
データ収集装置１１では、この一連の動作によって計測装置２１の計測データを受信することにより、データ収集装置１１から計測装置２１に至る通信路や各装置、変換器の動作が正常であることを認識可能である。また、計測装置２１の計測データを受信できない場合には、通信路または各装置、変換器のいずれかが異常であると判断し、一定時間をおいてリトライするか、あるいは計測装置２１の異常と仮定して次の局番０２の計測装置２２に対するデータ獲得コマンドの送信に移行する。
ここでは、通信路または各装置、変換器が正常であり、データ収集装置１１が、処理１０２によって計測装置２１の計測データを受信できたものとして説明を続ける。
【００２８】
中央監視室１０内の有線・無線変換器４１は、内部メモリに記憶された局番０１の計測装置２１に対するデータ獲得コマンドを、以後、周期的に起動して電気室２０Ａの有線・無線変換器４０Ａに送信し（処理２０３，２０５）、有線・無線変換器４０Ａはその都度、データ獲得コマンドを計測装置２１に送る（処理３０３，３０５）。計測装置２１は、それぞれのデータ獲得コマンドに従って電気量データを計測し、計測データを有線・無線変換器４０Ａに送って内部メモリに一時的に記憶させ（処理３０４，３０６）、更に、有線・無線変換器４０Ａから有線・無線変換器４１に送信して内部メモリに記憶させる（処理２０４，２０６）。
【００２９】
上記の動作により、データ収集装置１１から自局内の有線・無線変換器４１に計測装置２１に対するデータ獲得コマンドを一旦送れば、その後にデータ獲得コマンドが周期的に電気室２０Ａの有線・無線変換器４０Ａ、計測装置２１に順次送られると共に、計測装置２１の計測データがその都度収集されて有線・無線変換器４１の内部メモリに蓄積されることになる。このため、データ収集装置１１は必要に応じて有線・無線変換器４１の内部メモリのみにアクセスすることにより、計測装置２１の計測データを収集することができる。
なお、有線・無線変換器４１の内部メモリでは、計測装置２１の最新の計測データを前回の計測データに上書きして記憶しても良いし、あるいは計測データのトレンドを知るために各回の計測データを記憶しておいても良い。
【００３０】
ここで、有線・無線変換器４１，４０Ａは、例えば図２に示すように構成されており、何れも同一の構成である。例えば有線・無線変換器４１は、有線通信によるデータ獲得コマンドや計測データ等の電文をマイコン４０４との間で授受するためのＲＳ４８５ドライバ４０１と、データ獲得コマンド及び計測データ等を記憶する内部メモリ４０２と、データ獲得コマンドや計測データ等の電文の変調・復調等を行う無線通信モジュール４０３と、これらの各部４０１，４０２，４０３を統括的に制御するマイコン４０４とを備えている。また、ＲＳ４８５ドライバ４０１及び無線通信モジュール４０３とマイコン４０４との間のインターフェースとしては、例えばＵＡＲＴ（Universal Asynchronous Receiver Transmitter）を用いることができる。なお、有線・無線変換器４１，４０Ａの構成は、図２に何ら限定されるものではない。
【００３１】
次に、図３は、データ収集装置１１が局番０１の計測装置２１に続けて、局番０２の計測装置２２に対するデータ獲得コマンドを送信した場合の動作を示している。
図３において、データ収集装置１１が局番０２の計測装置２２に対するデータ獲得コマンドを発生させる前に、有線・無線変換器４１，４０Ａは、局番０１の計測装置２１の計測データを収集して有線・無線変換器４１の内部メモリに記憶している（処理３０２，２０２，２０３，３０３等）。
【００３２】
この状態で、データ収集装置１１から局番０２の計測装置２２に対するデータ獲得コマンドが有線・無線変換器４１に送られ（処理１０１）、このコマンドは無線通信用に変換されて電気室２０Ａの有線・無線変換器４０Ａに送信される（処理２０５）。以後は、有線・無線変換器４０Ａ、計測装置２２、有線・無線変換器４０Ａの動作により、計測装置２２の計測データが収集され、有線・無線変換器４１の内部メモリに記憶される（処理３０５，３０６，２０６）。そして、前述した処理１０１への応答として、計測装置２２の計測データが有線・無線変換器４１からデータ収集装置１１に送られる（処理１０２）。
上記の動作により、計測装置２１に対するデータ獲得コマンドの起動時と同様に、データ収集装置１１から計測装置２２に至る通信路や各装置、変換器の動作が正常であることを認識可能である。
【００３３】
以後は、有線・無線変換器４１の内部メモリに計測装置２１，２２に対するデータ獲得コマンドが記憶されているので、各計測装置２１，２２に対するデータ獲得コマンドが交互にかつ周期的に電気室２０Ａ内の有線・無線変換器４０Ａ、計測装置２１，２２に順次送られると共に、計測装置２１，２２の計測データがその都度収集されて有線・無線変換器４１の内部メモリに蓄積される。このため、データ収集装置１１は、必要に応じて有線・無線変換器４１の内部メモリのみにアクセスすることにより、計測装置２１，２２の計測データを収集することができる。
【００３４】
図４は、データ収集装置１１が計測装置２１の計測データ、計測装置２２の計測データを交互に収集する動作を示している。
図３に示したように、局番０２の計測装置２２に対するデータ獲得コマンドが起動された後は、有線・無線変換器４１より下位の有線・無線変換器４０Ａ及び計測装置２１，２２により各計測データが交互に収集され、有線・無線変換器４１の内部メモリに蓄積されることになる（処理２０２，２０４，２０６，２０８，２１０）。従って、データ収集装置１１は有線・無線変換器４１の内部メモリのみにアクセスすることにより、計測装置２１，２２の計測データを収集することができる。
図示されていないが、他の計測装置２３〜２５に対しても同様に、データ収集装置１１から有線・無線変換器４１に順次、データ獲得コマンドを送ることにより、有線・無線変換器４１より下位の有線・無線変換器４０Ａ，４０Ｂ及び計測装置２３〜２５により各計測データが順次収集され、有線・無線変換器４１の内部メモリに蓄積されることになる
【００３５】
なお、データ獲得コマンドを送った計測装置から応答がない場合（当該計測装置が異常である場合や、その計測装置が欠落しているような場合）には、有線・無線変換器４１の内部メモリに記憶されている当該計測装置の前回の計測データを応答してもよいし、当該計測装置から複数回続けて応答がない場合には、当該計測装置が異常または欠落していることをデータ収集装置１１に応答してそれ以後は当該計測装置に対するデータ獲得コマンドの起動をスキップするようにしても良い。
【００３６】
上記のように、本実施形態では、中央監視室１０内の有線・無線変換器４１から電気室２０Ａ，２０Ｂ内の有線・無線変換器４０Ａ，４０Ｂを介して複数台の計測装置２１〜２５の計測データを有線・無線変換器４１が収集する処理と並行して、データ収集装置１１が有線・無線変換器４１の内部メモリに記憶されている各計測装置の計測データを収集することができる。
すなわち、ある計測装置の計測データを有線・無線変換器４１，４０Ａ，４０Ｂが収集する処理と並行して、データ収集装置１１は、別の計測装置について既に獲得して有線・無線変換器４１に記憶されている計測データを収集することが可能である。従って、計測データのリアルタイム性が特に要求されない場合には、各計測装置に対してデータ獲得コマンドの起動から計測データの収集までの処理を順次行っていく場合に比べて、複数台の計測装置からのデータ収集に要する全体的な時間を短縮することができる。
【００３７】
次に、図５〜図７は本発明の第２実施形態を示している。
この第２実施形態は、電気室２０Ａ，２０Ｂ内の計測装置２１〜２５（後述する受電点計測装置５１と区別するために、これらの計測装置２１〜２５を第１計測装置という）については第１実施形態と同じ動作によって計測データを収集すると共に、電力会社からの受電点における受電電力量を一定周期で計測し、所定期間の電力量を予測してその積算値が最大電力量（契約電力量）を超えないように、いわゆるデマンド監視を行うためのものである。
【００３８】
図５は、本実施形態のデータ収集システムの構成図であり、図１０と同一の構成要素については同一の符号を付して説明を省略し、以下では図１０と異なる部分を中心に説明する。
図５において、６０は電力系統に接続された受電トランスであり、その二次側の受電点５０には、受電電力量（計測装置２１〜２５により消費電力量が計測される全ての負荷を含む対象設備の消費電力量）を計測する受電点計測装置５１が接続されている。なお、５２は電気室２０Ａ，２０Ｂに電力を供給するための電力ケーブルである。
受電点計測装置５１には、例えば局番００が割り当てられており、この計測装置５１は有線・無線変換器４０Ａに接続されている。
【００３９】
ここで、図６は受電点５０の最大電力量を予測する動作の説明図である。デマンド監視は、所定期間（例えば３０分間）の電力量の積算値が最大電力量を超えないようにするため、図示するごとく一定周期Δｔ（＝３０［ｓ］）で受電点の電力量を計測し、その計測データを所定期間の電力量の予測に用いている。
そこで、本実施形態では、図７に示すような動作によって受電点５０の電力量を３０［ｓ］周期で収集するようにした。
【００４０】
図７において、データ収集装置１１が電気室２０Ａ内の計測装置（第１計測装置）２１，２２の計測データを収集する処理は、前述した図１，図３，図４と同様である。
これに加えて、本実施形態では、データ収集装置１１が、受電点５０の局番００の受電点計測装置５１に対するデータ獲得コマンドの起動及び計測データの収集処理を３０［ｓ］周期で実行する（図７の処理１５１，１５２）。
具体的には、データ収集装置１１が有線・無線変換器４１に、受電点計測装置５１に対するデータ獲得コマンドを送り、有線・無線変換器４１が電気室２０Ａの有線・無線変換器４０Ａを介して受電点計測装置５１を動作させ、受電点５０の電力量を計測する。その計測データを有線・無線変換器４０Ａから有線・無線変換器４１に送信し、有線・無線変換器４１の内部メモリに記憶させる。この計測データは、データ収集装置１１からの次回のデータ獲得コマンドによって有線・無線変換器４１の内部メモリから読み出され、データ収集装置１１に送られる。
【００４１】
なお、データ収集装置１１としては、最新の電力量計測データを収集したい要請があるため、例えば、データ収集装置１１が受電点計測装置５１に対する次回のデータ獲得コマンドを起動する５［ｓ］前に有線・無線変換器４１が有線・無線変換器４０Ａにデータ獲得コマンドを送信することにより、データ収集装置１１から次回のデータ獲得コマンドが送られてくるタイミングでは既に有線・無線変換器４０Ａから受電点計測装置５１の電力量計測データを受信していて内部メモリに記憶済みであることが望ましい。
すなわち、有線・無線変換器４１にとってデータ収集装置１１から電力量計測データのデータ獲得コマンドが送られてくるタイミングは予め分かっているので、次回のデータ獲得コマンドが送られてくる５［ｓ］前（前回、データ獲得コマンドを受信してから２５［ｓ］後）に、有線・無線変換器４０Ａに受電点計測装置５１に対する電力量計測データのデータ獲得コマンドを送信すれば良い。
【００４２】
本実施形態によれば、データ収集装置１１が、各電気室２０Ａ，２０Ｂの複数の計測装置２１〜２５の計測データを短時間で収集できるほか、受電点計測装置５１による電力量計測データを一定周期で収集することができるため、受電設備全体のデマンド監視に役立てることができる。
【産業上の利用可能性】
【００４３】
本発明は、電力量等の電気量データの収集に限らず、ガス使用量や上下水道使用量等の計測データを収集するシステムにも利用可能である。
【符号の説明】
【００４４】
１０：中央監視室
１１：データ収集装置
２０Ａ，２０Ｂ：電気室
２１〜２５：電気エネルギー計測装置
３０，３０Ａ，３０Ｂ，３１：通信ケーブル
４０Ａ，４０Ｂ，４１：有線・無線変換器
５０：受電点
５１：受電点計測装置
５２：電力ケーブル
６０：受電トランス
４０１：ＲＳ４８５ドライバ
４０２：内部メモリ（ＲＡＭ）
４０３：無線通信モジュール
４０４：マイコン
【図１】
2015007875.tif 000003
【図２】
2015007875.tif 000004
【図３】
2015007875.tif 000005
【図４】
2015007875.tif 000006
【図５】
2015007875.tif 000007
【図６】
2015007875.tif 000008
【図７】
2015007875.tif 000009
【図８】
2015007875.tif 000010
【図９】
2015007875.tif 000011
【図１０】
2015007875.tif 000012
【図１１】
2015007875.tif 000013